(57)【要約】【課題】二つ折りされた印刷物に他の印刷物を挟み込むように丁合する場合に、印刷物の美観を損ねることなく、かつ、二つ折りされた印刷物を容易にかつ確実にＶ字型に開く。【解決手段】二つ折りして搬送される表紙に広告物や利用明細書を挟み込むように丁合する場合に、表紙の二つ折りされた内側に、表紙の搬送方向に沿うようなワイヤー５１を介在させておき、表紙の搬送に伴ってワイヤー５１によって表紙をＶ字型に開き、該Ｖ字型に開いた表紙に広告物や利用明細書を挟み込む。【選択図】  図１
2004174814.tif 000002
【特許請求の範囲】
【請求項１】
二つ折りして搬送される第１の印刷物に少なくとも１種類の第２の印刷物を挟み込むように丁合する丁合方法であって、
前記第１の印刷物の二つ折りされた内側に、該第１の印刷物の搬送方向に沿うようなワイヤーを介在させておき、前記第１の印刷物の搬送に伴って前記ワイヤーによって前記第１の印刷物をＶ字型に開き、該Ｖ字型に開いた前記第１の印刷物に前記第２の印刷物を挟み込むことを特徴とする丁合方法。
【請求項２】
請求項１に記載の丁合方法において、
前記第１の印刷物を、連続状で供給し、前記ワイヤーが介在された状態で搬送方向に引っ張ることにより単片状に切断することを特徴とする丁合方法。
【請求項３】
請求項１に記載の丁合方法において、
前記第１の印刷物を、前記ワイヤーが介在する領域以外にて連接された連続状で供給し、前記ワイヤーが介在された状態で前記連接領域を切断することにより単片状に切断することを特徴とする丁合方法。
【請求項４】
第１の印刷物を二つ折りに折り畳んで供給する第１の供給手段と、該供給手段から供給された前記第１の印刷物を搬送する搬送手段と、前記搬送手段上を搬送されてくる前記第１の印刷物に第２の印刷物を挟み込む少なくとも１つの第２の供給手段とを少なくとも有してなる丁合装置において、
前記第１の供給手段にて二つ折りされる前記第１の印刷物の内側に、該第１の印刷物の搬送方向に沿うように介在し、前記第１の印刷物の前記搬送手段上における搬送に伴って前記第１の印刷物をＶ字型に開かせるような形状を具備して設けられたワイヤーを有することを特徴とする丁合装置。
【請求項５】
請求項４に記載の丁合装置において、
前記第１の印刷物は、連続状で前記第１の供給手段に供給され、
前記第１の供給手段は、
前記第１の印刷物を二つ折りに折り畳む折り手段と、
前記折り手段にて二つ折りに折り畳まれた第１の印刷物を、前記ワイヤーが介在された状態で搬送方向に引っ張ることにより単片状に切断する切断手段とを有することを特徴とする丁合装置。
【請求項６】
請求項４に記載の丁合装置において、
前記第１の印刷物は、前記ワイヤーが介在する領域以外にて連接された連続状で前記第１の供給手段に供給され、
前記第１の供給手段は、
前記第１の印刷物を二つ折りに折り畳む折り手段と、
前記折り手段にて二つ折りに折り畳まれた第１の印刷物を、前記ワイヤーが介在された状態で前記連接された領域を切断することにより単片状に切断する切断手段とを有することを特徴とする丁合装置。
【請求項７】
請求項４に記載の丁合装置において、
前記第１の印刷物は、単片状で前記第１の供給手段に供給され、
前記ワイヤーは、前記第１の供給手段にて前記第１の印刷物が二つ折りに折り畳まれる前にて、該第１の印刷物が二つ折りに折り畳まれた状態にて内側となる領域に介在するように設けられていることを特徴とする丁合装置。
【発明の詳細な説明】
【０００１】
【発明の属する技術分野】
本発明は、通信販売等の利用明細書や他の印刷物を丁合する丁合方法及び丁合装置に関し、特に、二つ折りにされた印刷物に他の印刷物を挟み込むようにして丁合する丁合方法及び丁合装置に関する。
【０００２】
【従来の技術】
従来より、カタログ等を用いて商品を注文し購入する通信販売においては、商品を取り扱う店舗に出向くことなく所望の商品を購入することができるため、主に、店舗に出向く時間のない利用者が多く利用している。また、一冊のカタログに様々なカテゴリーの商品が掲載されているものにおいては、一冊のカタログを用いて様々なカテゴリーの商品を見ることができるため、利用者は自宅等にてあたかも大型店舗に出向いているかのように商品を選択することができる。
【０００３】
通信販売を利用して商品を購入する場合は、カタログ等に掲載された商品に付与されたコード番号や商品名を所定の用紙に記入し、郵送もしくはＦＡＸにてこの用紙を販売元に送付する。あるいは、電話にて所望のコード番号や商品名を指定する。なおこの際、商品の発送先や料金の支払い方法も指定しておく。
【０００４】
商品の販売元においては、利用者から送付されてきた用紙に記入されたコード番号や商品名、あるいは電話にて指定されたコード番号や商品名に基づいて、利用者が指定した発送先に商品を宅配便等で発送するとともに、その利用明細が記載された利用明細書を利用者に発送する。また、商品の販売元においては、利用者に利用明細書を発送する際、販売元にて販売する商品やキャンペーン商品等に関する情報が掲載された広告物等も利用明細書とともに利用者に発送する。
【０００５】
商品を受け取った利用者は、受け取った商品と利用明細書に記載された利用明細とを比較することにより、注文した商品が確かに販売元から発送され利用者が受け取ったかどうかを判断し、その後、商品を注文した際に指定した支払い方法によって購入した商品の料金を支払う。
【０００６】
図６は、利用明細書等を丁合するための従来の丁合装置の一構成例を示す図である。
【０００７】
本従来例は図６に示すように、利用明細書の宛先情報が記載された用紙（以下、表紙と称する）を折り畳んだ状態で単片状に切断して供給するキー帳票ディタッチャー２１０と、キー帳票ディタッチャー２１０から供給される表紙に印字されたバーコード情報を読み取るバーコードリーダー２９０と、広告物を供給するフィーダー２２０−１〜２２０−ｎと、商品購入の利用明細書を供給するフォームディタッチャー２３０−１〜２３０−Ｎと、キー帳票ディタッチャー２１０から折り畳まれた状態で供給された表紙の一方の面を吸引することにより、表紙をＶ字型に開く吸引部２５２と、吸引部２５２にてＶ字型に開かれた表紙を搬送し、このＶ字型に開かれた表紙にフィーダー２２０−１〜２２０−ｎから供給された広告物とフォームディタッチャー２３０−１〜２３０−Ｎから供給された利用明細書とを予め決められた組み合わせで順次挟みこんだ状態で搬送するコンベヤー２５０と、コンベヤー２５０の搬送方向に沿って設けられ、吸引部２５２にてＶ字型に開かれた表紙を開いた状態に保つための搬送ガイド２５１と、発送される商品に同封される物品等のピッキングリストを供給するピッキングリストディタッチャー２４０と、コンベヤー２５０上にて表紙に挟みこまれた状態で搬送されてきた広告物及び利用明細書、並びにピッキングリストディタッチャー２４０から供給されたピッキングリストが商品の発送先毎に組み合わされて格納されるスタッカー２８０と、フィーダー２２０−１〜２２０−ｎを駆動させるためのフィーダー駆動部２７０と、キー帳票ディタッチャー２１０から供給される表紙に印字されたバーコード情報に対応して、どの広告物、利用明細書及びピッキングリストを表紙に組み合わせて送付するかが登録されており、バーコードリーダー２９０にて表紙から読み取られたバーコード情報に基づいて、フィーダー駆動部２７０、フォームディタッチャー２３０−１〜２３０−Ｎ及びピッキングリストディタッチャー２４０の動作を制御するホストコンピュータ２６０とから構成されている。なお、フィーダー２２０−１〜２２０−ｎからはそれぞれ異なる種類の広告物が供給され、また、フォームディタッチャー２３０−１〜２３０−Ｎからはそれぞれ異なる種類の利用明細書が供給される。
【０００８】
以下に、上記のように構成された丁合装置における丁合方法について説明する。
【０００９】
まず、キー帳票ディタッチャー２１０から利用明細書の宛先情報が記載された表紙がコンベヤー２５０上に供給される。なお、表紙は、連続状態となっており、キー帳票ディタッチャー２１０において、まず、二つ折りに折り畳まれ、次に、表紙に印字されたバーコード情報がバーコードリーダー２９０によって読み取られ、その後、宛先毎に単片状に切断されてコンベヤー２５０上に供給される。なお、バーコードリーダー２９０によって読み取られたバーコード情報はホストコンピュータ２６０に送られる。
【００１０】
また、吸引部２５２において、キー帳票ディタッチャー２１０にて折り畳まれた状態で供給された表紙の一方の面が吸引され、それにより、表紙がＶ字型に開かれる。
【００１１】
図７は、図６に示した吸引部２５２における動作を説明するための図である。
【００１２】
図７に示すように、吸引部２５２は、コンベヤー２５０上における表紙２０１の搬送方向に沿うように回転しており、表紙２０１が吸引部２５２の下部に搬送されると、その一方の面が吸引部２５２によって吸引され、その後、吸引部２５２の回転に伴って表紙２０１の吸引部２５２に吸引された面が持ち上がり、それにより、表紙２０１がＶ字型に開かれる。また、この状態において、コンベヤー２５０側からも表紙２０１の他方の面が吸引されており、それにより、吸引部２５２による吸引によって表紙全体が吸引部２５２に吸引されてしまうことが防止されている。
【００１３】
表紙２０１がＶ字型に開かれると、表紙２０１の開かれた面が搬送ガイド２５１に当接し、表紙２０１はその開かれた面が搬送ガイド２５１に支持されながらコンベヤー２５０上を搬送されていく。
【００１４】
これにより、表紙２０１がＶ字型に開かれた状態でコンベヤー２５０上を搬送されていくことになる。
【００１５】
また、ホストコンピュータ２６０においては、キー帳票ディタッチャー２１０から供給される表紙に印字されたバーコード情報に対応して、フィーダー２２０−１〜２２０−ｎから供給される広告物、フォームディタッチャー２３０−１〜２３０−Ｎから供給される利用明細書、並びに、ピッキングリストディタッチャー２４０から供給されるピッキングリストのうち、どの広告物、利用明細書及びピッキングリストを表紙に組み合わせて送付するかが予め登録されており、バーコードリーダー２９０にて表紙から読み取られたバーコード情報に基づいて、フィーダー駆動部２７０、フォームディタッチャー２３０−１〜２３０−Ｎ及びピッキングリストディタッチャー２４０の動作が制御される。
【００１６】
まず、ホストコンピュータ２６０において、バーコードリーダー２９０にて表紙から読み取られたバーコード情報に基づいて、フィーダー２２０−１〜２２０−ｎのうちどのフィーダーから供給される広告物をコンベヤー２５０上に供給された表紙に組み合わせるかが判断され、表紙に組み合わせる広告物を供給するフィーダーを選択する信号がフィーダー駆動部２７０に送られる。
【００１７】
すると、フィーダー駆動部２７０において、ホストコンピュータ２６０から送られてきた信号に基づいて、コンベヤー２５０上に供給された表紙に組み合わせる広告物を供給するフィーダーに対して駆動信号が出力され、それにより、コンベヤー２５０上に供給された表紙に組み合わせる広告物を供給するフィーダーから広告物が順次供給される。
【００１８】
コンベヤー２５０上に供給された表紙に組み合わせる広告物を供給するフィーダーから供給された広告物は、コンベヤー２５０上にてＶ字型に開かれた状態で搬送されてくる表紙に順次挟みこまれていく。
【００１９】
次に、ホストコンピュータ２６０において、バーコードリーダー２９０にて表紙から読み取られたバーコード情報に基づいて、フォームディタッチャー２３０−１〜２３０−Ｎのうちどのフォームディタッチャーから供給される利用明細書をコンベヤー２５０上に供給された表紙に組み合わせるかが判断され、表紙に組み合わせる利用明細書を供給するフォームディタッチャーに対して利用明細書を供給するための信号が出力される。
【００２０】
すると、利用明細書を供給するための信号をホストコンピュータ２６０から受け取ったフォームディタッチャーにおいては、連続状態となっている利用明細書が、その利用明細書毎に単片状に切断され、コンベヤー２５０上に供給される。
【００２１】
コンベヤー２５０上に供給された利用明細書は、コンベヤー２５０上にてＶ字型に開かれて搬送されてくる表紙に挟みこまれ、表紙とともにコンベヤー２５０上を搬送されていく。
【００２２】
次に、コンベヤー２５０上を搬送されてきた、表紙、広告物及び利用明細書の組み合わせは、搬送ガイド２５１から離間し、それにより、Ｖ字型に開かれていた表紙が閉じられ、その状態で商品の発送先毎にスタッカー２８０に格納されるが、その前に、ホストコンピュータ２６０において、スタッカー２８０に格納される、表紙、広告物及び利用明細書の組み合わせに対して、同封する物品等が存在する場合、そのピッキングリストを供給するための信号がピッキングリストディタッチャー２４０に対して出力され、ピッキングリストディタッチャー２４０においては、ホストコンピュータ２６０から出力された信号を受け取った場合、連続状態のピッキングリストが切断され、スタッカー２８０に格納される、表紙、広告物及び利用明細書の組み合わせに重ね合わされる。
【００２３】
その後、スタッカー２８０に格納された、表紙、広告物、利用明細書及びピッキングリストは、宛先毎に封筒に封入、封緘される。
【００２４】
このように、二つ折りの表紙等の印刷物に、広告物や利用明細書等の他の印刷物を挟み込むように丁合する場合は、二つ折りされた印刷物の少なくとも一方の面を吸引することにより表紙等の印刷物をＶ字型に開き、Ｖ字型に開かれた表紙等の印刷物に、広告物や利用明細書等の他の印刷物を挟み込むように丁合している。
【００２５】
このような技術においては、封筒に印刷物を封入する際に、封筒の表面を吸引し、それにより封筒の口を開いておき、印刷物を封入することにも利用されている（例えば、特許文献１参照。）。
【００２６】
【特許文献１】
特開平１０−１１９１５０号公報
【００２７】
【発明が解決しようとする課題】
しかしながら、上述したように、二つ折りの印刷物に他の印刷物を挟み込むように丁合する際に二つ折りされた印刷物の少なくとも一方の面を吸引することによりこの印刷物をＶ字型に開き他の印刷物を挟み込む場合は、二つ折りされた印刷物がＶ字型に開くように吸引力を調整しなければならないという問題点がある。特に、二つ折りされた印刷物が薄いものである場合、吸引力を調整するのが困難である。
【００２８】
また、吸引部は二つ折りされた印刷物に密着する必要があるが、吸引部が消耗したり、設置角度がずれていたりすることにより、吸引部が二つ折りされた印刷物に密着しない場合、印刷物を吸引することができなくなり、二つ折りされた印刷物がＶ字型に開かなくなってしまうという問題点がある。
【００２９】
また、二つ折りされた印刷物が吸引された状態で装置が停止した場合、印刷物に吸引跡が残ってしまい、印刷物の美観を損ねてしまうという問題点がある。
【００３０】
本発明は、上述したような従来の技術が有する問題点に鑑みてなされたものであって、二つ折りされた印刷物に他の印刷物を挟み込むように丁合する場合に、印刷物の美観を損ねることなく、かつ、二つ折りされた印刷物を容易にかつ確実にＶ字型に開くことができる丁合方法及び丁合装置を提供することを目的とする。
【００３１】
【課題を解決するための手段】
上記目的を達成するために本発明は、
二つ折りして搬送される第１の印刷物に少なくとも１種類の第２の印刷物を挟み込むように丁合する丁合方法であって、
前記第１の印刷物の二つ折りされた内側に、該第１の印刷物の搬送方向に沿うようなワイヤーを介在させておき、前記第１の印刷物の搬送に伴って前記ワイヤーによって前記第１の印刷物をＶ字型に開き、該Ｖ字型に開いた前記第１の印刷物に前記第２の印刷物を挟み込むことを特徴とする。
【００３２】
また、前記第１の印刷物を、連続状で供給し、前記ワイヤーが介在された状態で搬送方向に引っ張ることにより単片状に切断することを特徴とする。
【００３３】
また、前記第１の印刷物を、前記ワイヤーが介在する領域以外にて連接された連続状で供給し、前記ワイヤーが介在された状態で前記連接領域を切断することにより単片状に切断することを特徴とする。
【００３４】
また、第１の印刷物を二つ折りに折り畳んで供給する第１の供給手段と、該供給手段から供給された前記第１の印刷物を搬送する搬送手段と、前記搬送手段上を搬送されてくる前記第１の印刷物に第２の印刷物を挟み込む少なくとも１つの第２の供給手段とを少なくとも有してなる丁合装置において、
前記第１の供給手段にて二つ折りされる前記第１の印刷物の内側に、該第１の印刷物の搬送方向に沿うように介在し、前記第１の印刷物の前記搬送手段上における搬送に伴って前記第１の印刷物をＶ字型に開かせるような形状を具備して設けられたワイヤーを有することを特徴とする。
【００３５】
また、前記第１の印刷物は、連続状で前記第１の供給手段に供給され、
前記第１の供給手段は、
前記第１の印刷物を二つ折りに折り畳む折り手段と、
前記折り手段にて二つ折りに折り畳まれた第１の印刷物を、前記ワイヤーが介在された状態で搬送方向に引っ張ることにより単片状に切断する切断手段とを有することを特徴とする。
【００３６】
また、前記第１の印刷物は、前記ワイヤーが介在する領域以外にて連接された連続状で前記第１の供給手段に供給され、
前記第１の供給手段は、
前記第１の印刷物を二つ折りに折り畳む折り手段と、
前記折り手段にて二つ折りに折り畳まれた第１の印刷物を、前記ワイヤーが介在された状態で前記連接された領域を切断することにより単片状に切断する切断手段とを有することを特徴とする。
【００３７】
また、前記第１の印刷物は、単片状で前記第１の供給手段に供給され、
前記ワイヤーは、前記第１の供給手段にて前記第１の印刷物が二つ折りに折り畳まれる前にて、該第１の印刷物が二つ折りに折り畳まれた状態にて内側となる領域に介在するように設けられていることを特徴とする。
【００３８】
（作用）
上記のように構成された本発明においては、第２の印刷物が挟み込まれる第１の印刷物が、第１の供給手段において二つ折りに折り畳まれて搬送手段上に供給されるが、その際、二つ折りにされる第１の印刷物の内側には、第１の印刷物の搬送方向に沿うようなワイヤーが介在する。搬送手段上に供給された第１の印刷物が搬送手段上を搬送されていくと、ワイヤーの形状によって、搬送手段上における搬送に伴って第１の印刷物がＶ字型に開かれる。この状態にて第１の印刷物に第２の印刷物が挟み込まれるように丁合される。
【００３９】
このように、二つ折りにされる第１の印刷物の内側に介在するワイヤーによって第１の印刷物がＶ字型に開くように構成されているので、二つ折りされた第１の印刷物を吸引することなく、第１の印刷物に第２の印刷物を挟み込むように丁合することができるようになる。
【００４０】
【発明の実施の形態】
以下に、本発明の実施の形態について図面を参照して説明する。
【００４１】
（第１の実施の形態）
図１は、本発明の丁合装置の第１の実施の形態を示す図である。
【００４２】
本形態は図１に示すように、利用明細書の宛先情報が記載された第１の印刷物である用紙（以下、表紙と称する）が連続状で供給され、この表紙を二つ折りに折り畳んだ状態で単片状に切断して供給する第１の供給手段であるキー帳票供給部１０と、キー帳票供給部１０から供給される表紙に印字されたバーコード情報を読み取るバーコードリーダー９０と、第２の印刷物である広告物を供給する第２の供給手段であるフィーダー２０−１〜２０−ｎと、第２の印刷物である商品購入の利用明細書を供給する第２の供給手段であるフォームディタッチャー３０−１〜３０−Ｎと、キー帳票供給部１０にて折り畳まれた状態で供給された表紙を搬送し、この表紙にフィーダー２０−１〜２０−ｎから供給された広告物とフォームディタッチャー３０−１〜３０−Ｎから供給された利用明細書とを予め決められた組み合わせで順次挟みこんだ状態で搬送する搬送手段であるコンベヤー５０と、キー帳票供給部１０にて二つ折りされる表紙の内側にて、表紙の搬送方向に沿うように介在し、表紙のコンベヤー５０上における搬送に伴って二つ折りされた表紙をＶ字型に開かせるような形状を具備して設けられたワイヤー５１と、コンベヤー５０の搬送方向に沿って設けられ、ワイヤー５１によってＶ字型に開かれた表紙を開いた状態に保つための搬送ガイド５２と、発送される商品に同封される物品等のピッキングリストを供給するピッキングリストディタッチャー４０と、コンベヤー５０上にて表紙に挟みこまれた状態で搬送されてきた広告物及び利用明細書、並びにピッキングリストディタッチャー４０から供給されたピッキングリストが商品の発送先毎に組み合わされて格納されるスタッカー８０と、フィーダー２０−１〜２０−ｎを駆動させるためのフィーダー駆動部７０と、キー帳票供給部１０から供給される表紙に印字されたバーコード情報に対応して、どの広告物、利用明細書及びピッキングリストを表紙に組み合わせて送付するかが登録されており、バーコードリーダー９０にて表紙から読み取られたバーコード情報に基づいて、フィーダー駆動部７０、フォームディタッチャー３０−１〜３０−Ｎ及びピッキングリストディタッチャー４０の動作を制御するホストコンピュータ６０とから構成されている。なお、フィーダー２０−１〜２０−ｎからはそれぞれ異なる種類の広告物が供給され、また、フォームディタッチャー３０−１〜３０−Ｎからはそれぞれ異なる種類の利用明細書が供給される。また、キー帳票供給部１０は、表紙を二つ折りに折り畳む折り手段であるキー帳票折り部１１と、キー帳票折り部１１にて二つ折りに折り畳まれた表紙を単片状に切断する切断手段であるキー帳票切断部１２とから構成されている。
【００４３】
以下に、上記のように構成された丁合装置における丁合方法について説明する。
【００４４】
まず、キー帳票供給部１０から利用明細書の宛先情報が記載された表紙がコンベヤー５０上に供給される。なお、表紙は、連続状態となっており、まず、キー帳票供給部１０のキー帳票折り部１１において、連続状態の表紙が二つ折りに折り畳まれ、次に、表紙に印字されたバーコード情報がバーコードリーダー９０によって読み取られ、その後、キー帳票供給部１０のキー帳票切断部１２において、キー帳票折り部１１にて二つ折りに折り畳まれた表紙が宛先毎に単片状に切断されてコンベヤー５０上に供給される。その際、コンベヤー５０の搬送方向に沿うように設けられたワイヤー５１が、二つ折りに折り畳まれた表紙の内側に介在するようになる。また、バーコードリーダー９０によって読み取られたバーコード情報はホストコンピュータ６０に送られる。
【００４５】
ここで、キー帳票切断部１２における表紙の切断方法について詳細に説明する。
【００４６】
図２は、図１に示したキー帳票切断部１２の一構成例を示す図である。
【００４７】
本例におけるキー帳票切断部１２は図２に示すように、互いに回転速度が異なり、キー帳票折り部１１にて二つ折りに折り畳まれた表紙１を挟持してコンベヤー５０上に導くための搬送ローラ対１３，１４と、搬送ローラ対１３と搬送ローラ対１４との間に設けられ、表紙１を搬送ローラ対１３と搬送ローラ対１４とによって引っ張られた状態で押える押え部材１５とから構成されている。なお、表紙１には、宛先毎に切断可能なようにミシン目２が設けられている。また、搬送ローラ対１３，１４の回転速度は、表紙１の搬送方向下流となる搬送ローラ対１４の方が、表紙１の搬送方向上流となる搬送ローラ対１３よりも速くなっている。また、ローラ対１３，１４は、ワイヤー５１が介在しない領域に設けられている。
【００４８】
上記のように構成されたキー帳票切断部１２においては、ミシン目２によって連接された連続状の表紙１が搬送ローラ対１３，１４によって搬送される際、搬送ローラ対１４の回転速度が搬送ローラ対１３の回転速度よりも速くなっているため、表紙は搬送ローラ１３と搬送ローラ１４とによって引っ張られる状態となる。また、表紙１には、ミシン目２が設けられているため、この状態にて押え部材１５によって表紙１が押えられると、表紙１がミシン目２によって単片状に切断されることになる。
【００４９】
図３は、図１に示したキー帳票切断部１２の他の構成例を示す図である。
【００５０】
本例におけるキー帳票切断部１２は図３に示すように、表紙１に設けられた連接領域３のみに対向するように設けられ、この連接領域３を切断するためのカッター１６ａ，１６ｂから構成されている。なお、連接領域３は、表紙１のワイヤー５１が介在しない領域に設けられており、この連接領域３によって、宛先毎に異なる表紙が連接されて連続状態となっている。
【００５１】
上記のように構成されたキー帳票切断部１２においては、連接領域３によって連接された連続状の表紙１がキー帳票切断部１２に搬送されてくると、カッター１６ａ，１６ｂによってこの連接領域３が切断され、それにより、表紙１が宛先毎に単片状に切断されることになる。
【００５２】
コンベヤー５０上を表紙が搬送されていくと、ワイヤー５１の形状に沿って、二つ折りに折り畳まれた表紙がＶ字型に開かれる。
【００５３】
図４は、図１に示した丁合装置において表紙がＶ字型に開かれていく状態を示す図である。
【００５４】
図４に示すように、二つ折りに折り畳まれた表紙の内側に介在したワイヤー５１は、コンベヤー５０上における表紙１の搬送に伴って表紙１をＶ字型に開かせるような形状となっており、このワイヤー５１の形状によって、コンベヤー５０上にて搬送されていく表紙１はその搬送に伴ってＶ字型に開いていく。
【００５５】
表紙１がＶ字型に開かれると、表紙１の開かれた面が搬送ガイド５２に当接し、表紙１はその開かれた面が搬送ガイド５２に支持されながらコンベヤー５０上を搬送されていく。
【００５６】
これにより、表紙１がＶ字型に開かれた状態でコンベヤー５０上を搬送されていくことになる。
【００５７】
また、ホストコンピュータ６０においては、キー帳票供給部１０から供給される表紙に印字されたバーコード情報に対応して、フィーダー２０−１〜２０−ｎから供給される広告物、フォームディタッチャー３０−１〜３０−Ｎから供給される利用明細書、並びに、ピッキングリストディタッチャー４０から供給されるピッキングリストのうち、どの広告物、利用明細書及びピッキングリストを表紙に組み合わせて送付するかが予め登録されており、バーコードリーダー９０にて表紙から読み取られたバーコード情報に基づいて、フィーダー駆動部７０、フォームディタッチャー３０−１〜３０−Ｎ及びピッキングリストディタッチャー４０の動作が制御される。
【００５８】
まず、ホストコンピュータ６０において、バーコードリーダー９０にて表紙から読み取られたバーコード情報に基づいて、フィーダー２０−１〜２０−ｎのうちどのフィーダーから供給される広告物をコンベヤー５０上に供給された表紙に組み合わせるかが判断され、表紙に組み合わせる広告物を供給するフィーダーを選択する信号がフィーダー駆動部７０に送られる。
【００５９】
すると、フィーダー駆動部７０において、ホストコンピュータ６０から送られてきた信号に基づいて、コンベヤー５０上に供給された表紙に組み合わせる広告物を供給するフィーダーに対して駆動信号が出力され、それにより、コンベヤー５０上に供給された表紙に組み合わせる広告物を供給するフィーダーから広告物が順次供給される。
【００６０】
コンベヤー５０上に供給された表紙に組み合わせる広告物を供給するフィーダーから供給された広告物は、コンベヤー５０上にてＶ字型に開かれた状態で搬送されてくる表紙に順次挟みこまれていく。
【００６１】
次に、ホストコンピュータ６０において、バーコードリーダー９０にて表紙から読み取られたバーコード情報に基づいて、フォームディタッチャー３０−１〜３０−Ｎのうちどのフォームディタッチャーから供給される利用明細書をコンベヤー５０上に供給された表紙に組み合わせるかが判断され、表紙に組み合わせる利用明細書を供給するフォームディタッチャーに対して利用明細書を供給するための信号が出力される。
【００６２】
すると、利用明細書を供給するための信号をホストコンピュータ６０から受け取ったフォームディタッチャーにおいては、連続状態となっている利用明細書が、その利用明細書毎に単片状に切断され、コンベヤー５０上に供給される。
【００６３】
コンベヤー５０上に供給された利用明細書は、コンベヤー５０上にてＶ字型に開かれて搬送されてくる表紙に挟みこまれ、表紙とともに状態でコンベヤー５０上を搬送されていく。
【００６４】
次に、コンベヤー５０上を搬送されてきた、表紙、広告物及び利用明細書の組み合わせは、搬送ガイド５２から離間し、それにより、Ｖ字型に開かれていた表紙が閉じられ、その状態で商品の発送先毎にスタッカー８０に格納されるが、その前に、ホストコンピュータ６０において、スタッカー８０に格納される、表紙、広告物及び利用明細書の組み合わせに対して、同封する物品等が存在する場合、そのピッキングリストを供給するための信号がピッキングリストディタッチャー４０に対して出力され、ピッキングリストディタッチャー４０においては、ホストコンピュータ６０から出力された信号を受け取った場合、連続状態のピッキングリストが切断され、スタッカー８０に格納される、表紙、広告物及び利用明細書の組み合わせに重ね合わされる。
【００６５】
その後、スタッカー８０に格納された、表紙、広告物、利用明細書及びピッキングリストは、宛先毎に封筒に封入、封緘される。
【００６６】
（第２の実施の形態）
図５は、本発明の丁合装置の第２の実施の形態を示す図である。
【００６７】
本形態は図５に示すように、利用明細書の宛先情報が記載された第１の印刷物である用紙（以下、表紙と称する）が単片状で供給され、この表紙を二つ折りに折り畳んだ状態で供給する第１の供給手段であるキー帳票供給部１１０と、キー帳票供給部１１０から供給される表紙に印字されたバーコード情報を読み取るバーコードリーダー１９０と、第２の印刷物である広告物を供給する第２の供給手段であるフィーダー１２０−１〜１２０−ｎと、第２の印刷物である商品購入の利用明細書を供給する第２の供給手段であるフォームディタッチャー１３０−１〜１３０−Ｎと、キー帳票供給部１１０にて折り畳まれた状態で供給された表紙を搬送し、この表紙にフィーダー１２０−１〜１２０−ｎから供給された広告物とフォームディタッチャー１３０−１〜１３０−Ｎから供給された利用明細書とを予め決められた組み合わせで順次挟みこんだ状態で搬送する搬送手段であるコンベヤー１５０と、キー帳票供給部１１０にて二つ折りされる表紙の内側にて、表紙の搬送方向に沿うように介在し、表紙のコンベヤー１５０上における搬送に伴って二つ折りされた表紙をＶ字型に開かせるような形状を具備して設けられたワイヤー１５１と、コンベヤー１５０の搬送方向に沿って設けられ、ワイヤー１５１によってＶ字型に開かれた表紙を開いた状態に保つための搬送ガイド１５２と、発送される商品に同封される物品等のピッキングリストを供給するピッキングリストディタッチャー１４０と、コンベヤー１５０上にて表紙に挟みこまれた状態で搬送されてきた広告物及び利用明細書、並びにピッキングリストディタッチャー１４０から供給されたピッキングリストが商品の発送先毎に組み合わされて格納されるスタッカー１８０と、フィーダー１２０−１〜１２０−ｎを駆動させるためのフィーダー駆動部１７０と、キー帳票供給部１１０から供給される表紙に印字されたバーコード情報に対応して、どの広告物、利用明細書及びピッキングリストを表紙に組み合わせて送付するかが登録されており、バーコードリーダー１９０にて表紙から読み取られたバーコード情報に基づいて、フィーダー駆動部１７０、フォームディタッチャー１３０−１〜１３０−Ｎ及びピッキングリストディタッチャー１４０の動作を制御するホストコンピュータ１６０とから構成されている。なお、フィーダー１２０−１〜１２０−ｎからはそれぞれ異なる種類の広告物が供給され、また、フォームディタッチャー１３０−１〜１３０−Ｎからはそれぞれ異なる種類の利用明細書が供給される。
【００６８】
以下に、上記のように構成された丁合装置における丁合方法について説明する。
【００６９】
まず、キー帳票供給部１１０から利用明細書の宛先情報が記載された単片状の表紙がそれぞれ二つ折りに折り畳まれてコンベヤー１５０上に供給される。ここで、表紙が二つ折りに折り畳まれた場合に表紙の内側となる領域には、コンベヤー１５０の搬送方向に沿うようなワイヤー１５１が設けられており、これにより、表紙が二つ折りに折り畳まれるとワイヤー１５１が二つ折りに折り畳まれた表紙の内側に介在するようになる。また、その際、バーコードリーダー１９０において、コンベヤー１５０上に供給される表紙に印字されたバーコード情報が読み取られ、読み取られたバーコード情報はホストコンピュータ１６０に送られる。
【００７０】
コンベヤー１５０上を表紙が搬送されていくと、図４に示したように、ワイヤー１５１の形状に沿って、二つ折りに折り畳まれた表紙がＶ字型に開かれ、その後、Ｖ字型に開かれた表紙は、搬送ガイド１５２によって、Ｖ字型に開かれた状態が保持されながらコンベヤー１５０上を搬送されていく。
【００７１】
また、ホストコンピュータ１６０においては、キー帳票供給部１１０から供給される表紙に印字されたバーコード情報に対応して、フィーダー１２０−１〜１２０−ｎから供給される広告物、フォームディタッチャー１３０−１〜１３０−Ｎから供給される利用明細書、並びに、ピッキングリストディタッチャー１４０から供給されるピッキングリストのうち、どの広告物、利用明細書及びピッキングリストを表紙に組み合わせて送付するかが予め登録されており、バーコードリーダー１９０にて表紙から読み取られたバーコード情報に基づいて、フィーダー駆動部１７０、フォームディタッチャー１３０−１〜１３０−Ｎ及びピッキングリストディタッチャー１４０の動作が制御される。
【００７２】
まず、ホストコンピュータ１６０において、バーコードリーダー１９０にて表紙から読み取られたバーコード情報に基づいて、フィーダー１２０−１〜１２０−ｎのうちどのフィーダーから供給される広告物をコンベヤー１５０上に供給された表紙に組み合わせるかが判断され、表紙に組み合わせる広告物を供給するフィーダーを選択する信号がフィーダー駆動部１７０に送られる。
【００７３】
すると、フィーダー駆動部１７０において、ホストコンピュータ１６０から送られてきた信号に基づいて、コンベヤー１５０上に供給された表紙に組み合わせる広告物を供給するフィーダーに対して駆動信号が出力され、それにより、コンベヤー１５０上に供給された表紙に組み合わせる広告物を供給するフィーダーから広告物が順次供給される。
【００７４】
コンベヤー１５０上に供給された表紙に組み合わせる広告物を供給するフィーダーから供給された広告物は、コンベヤー１５０上にてＶ字型に開かれた状態で搬送されてくる表紙に順次挟みこまれていく。
【００７５】
次に、ホストコンピュータ１６０において、バーコードリーダー１９０にて表紙から読み取られたバーコード情報に基づいて、フォームディタッチャー１３０−１〜１３０−Ｎのうちどのフォームディタッチャーから供給される利用明細書をコンベヤー１５０上に供給された表紙に組み合わせるかが判断され、表紙に組み合わせる利用明細書を供給するフォームディタッチャーに対して利用明細書を供給するための信号が出力される。
【００７６】
すると、利用明細書を供給するための信号をホストコンピュータ１６０から受け取ったフォームディタッチャーにおいては、連続状態となっている利用明細書が、その利用明細書毎に単片状に切断され、コンベヤー１５０上に供給される。
【００７７】
コンベヤー１５０上に供給された利用明細書は、コンベヤー１５０上にてＶ字型に開かれて搬送されてくる表紙に挟みこまれ、表紙とともにコンベヤー１５０上を搬送されていく。
【００７８】
次に、コンベヤー１５０上を搬送されてきた、表紙、広告物及び利用明細書の組み合わせは、搬送ガイド１５２から離間し、それにより、Ｖ字型に開かれてた表紙が閉じられ、その状態で商品の発送先毎にスタッカー１８０に格納されるが、その前に、ホストコンピュータ１６０において、スタッカー１８０に格納される、表紙、広告物及び利用明細書の組み合わせに対して、同封する物品等が存在する場合、そのピッキングリストを供給するための信号がピッキングリストディタッチャー１４０に対して出力され、ピッキングリストディタッチャー１４０においては、ホストコンピュータ１６０から出力された信号を受け取った場合、連続状態のピッキングリストが切断され、スタッカー１８０に格納される、表紙、広告物及び利用明細書の組み合わせに重ね合わされる。
【００７９】
その後、スタッカー１８０に格納された、表紙、広告物、利用明細書及びピッキングリストは、宛先毎に封筒に封入、封緘される。
【００８０】
なお、上述した２つの実施の形態においては、利用明細書の宛先情報が記載された表紙に、広告物や利用明細書が挟み込まれるように丁合されるものを例に挙げて説明したが、二つ折りに折り畳まれた印刷物に他の印刷物が挟み込まれるように丁合されるものであれば本発明に適用可能であることは言うまでもない。また、封筒に印刷物を封入するものにおいても、封筒を構成する用紙を二つ折りに折り畳み、この封筒に封入物を挟み込むように封入し、封筒に予め塗布された糊を用いて封筒形状にするような構成とすれば、本発明を適用することができる。
【００８１】
【発明の効果】
以上説明したように本発明においては、二つ折りして搬送される第１の印刷物に第２の印刷物を挟み込むように丁合する場合に、第１の印刷物の二つ折りされた内側に、該第１の印刷物の搬送方向に沿うようなワイヤーを介在させておき、第１の印刷物の搬送に伴ってワイヤーによって第１の印刷物をＶ字型に開き、該Ｖ字型に開いた第１の印刷物に第２の印刷物を挟み込む構成としたため、二つ折りされた第１の印刷物を吸引することなく、第１の印刷物に第２の印刷物を挟み込むように丁合することができ、それにより、印刷物の美観を損ねることなく、かつ、二つ折りされた印刷物を容易にかつ確実にＶ字型に開くことができる。
【図面の簡単な説明】
【図１】本発明の丁合装置の第１の実施の形態を示す図である。
【図２】図１に示したキー帳票切断部の一構成例を示す図である。
【図３】図１に示したキー帳票切断部の他の構成例を示す図である。
【図４】図１に示した丁合装置において表紙がＶ字型に開かれていく状態を示す図である。
【図５】本発明の丁合装置の第２の実施の形態を示す図である。
【図６】利用明細書等を丁合するための従来の丁合装置の一構成例を示す図である。
【図７】図６に示した吸引部における動作を説明するための図である。
【符号の説明】
１    表紙
２    ミシン目
３    連接領域
１０，１１０    キー帳票供給部
１１    キー帳票折り部
１２    キー帳票切断部
１３，１４    搬送ローラ対
１５    押え部材
１６ａ，１６ｂ    カッター
２０−１〜２０−ｎ，１２０−１〜１２０−ｎ    フィーダー
３０−１〜３０−Ｎ，１３０−１〜１３０−Ｎ    フォームディタッチャー
４０，１４０    ピッキングリストディタッチャー
５０，１５０    コンベヤー
５１，１５１    ワイヤー
５２，１５２    搬送ガイド
６０，１６０    ホストコンピュータ
７０，１７０    フィーダー駆動部
８０，１８０    スタッカー
９０，１９０    バーコードリーダー
【図１】
2004174814.tif 000003
【図２】
2004174814.tif 000004
【図３】
2004174814.tif 000005
【図４】
2004174814.tif 000006
【図５】
2004174814.tif 000007
【図６】
2004174814.tif 000008
【図７】
2004174814.tif 000009